(57)【特許請求の範囲】
【請求項１】
平面方形状の底部に側壁を立設し、側壁の上端縁にはフランジを設けると共に、側壁外面の隅部近傍に脚部を突設する一方、フランジ内側には脚部とは点対称の位置に脚部を嵌入する凹部を形成することによって、同一方向に向けて段積みした場合には上段容器の脚部の下面が下段容器のフランジ上面に載ってスタッキングされ、一方の容器を水平に１８０度回転させて段積みした場合には、上段の容器の脚部が下段容器の凹部に嵌入してネスティングすることを可能とした運搬用容器において、前記脚部の底面は、容器底部の下面より上方に位置する水平面であって、側壁外面から連続して形成されており、四方のいずれの方向からもスライドさせながらスタッキングすることが可能なように、四隅部と前記凹部を除いて四方のフランジ内面縁部の全面に、脚部の先端部の衝突を逃がしてスムーズに上昇させながらスタッキングするための面取り部を形成したことを特徴とする運搬用容器。
【請求項２】
前記面取り部は、テーパ面またはアール面によって形成したことを特徴とする請求項１記載の運搬用容器。
【発明の詳細な説明】
【０００１】
【発明の属する技術分野】
この発明は、運搬用容器に係り、特に側壁外面に突出した脚部を設け、前記脚部を下段容器のフランジ上面に載置させた状態でスタッキングする運搬用容器に関する。
【０００２】
【従来の技術】
物品の保管、運搬用として使用される合成樹脂製容器に、スタッキング及びネスティングが可能な運搬用容器が知られている。即ち、運搬用容器を同一方向に向けた状態で、側壁外面に設けた脚部を下段容器のフランジに載置してスタッキングし、内部が空の状態のときいずれか一方の容器を水平方向に１８０度回転させるとネスティングすることができる運搬用容器が広く使用されている。
【０００３】
このようなスタッキング及びネスティングが可能な容器は、平面方形状の底部に側壁を立設し、側壁上端には外方に水平に突出させたフランジを設けてなる箱状の容器であって、側壁外面の四隅近傍には外方に突出した脚部を設け、四隅近傍の内面には水平方向に１８０度回転させて重ねたとき、前記脚部が嵌入する凹部を設けてなる。スタッキングするときは、容器を同一方向に向けて積み重ねると、下段容器のフランジ上面に上段容器の脚部の下端面を載置してスタッキングすることが可能となり、水平方向に１８０度回転させて上段容器の脚部を下段容器の凹部に嵌入することによってネスティングすることが可能となる。
【０００４】
【発明が解決しようとする課題】
上記構成の容器をスタッキングする際に、上段容器のスライド方向先端側の脚部を下段容器のフランジ上面に載せ、手前側を少し持ち上げながらスライドさせると、上段容器の脚部の下端部は下段容器のフランジ上面よりも沈み込んだ状態でスライドしていくので、脚部の下端部が側壁の内面縁部に突き当たる。
【０００５】
そこで、スライドを止めると、底部の一部がフランジ上面に載ったまま不安定な状態でスタッキングされることになる。このような場合には、引き戻して再度スライドさせ強く押し込んでスタッキングさせるか、先端部を持ち上げてスライドさせることが必要であった。また、スタッキングするためにスライドさせようとすると、大きな力を加えなければならないばかりでなく、衝撃によって荷崩れのおそれもある。
【０００６】
このような問題を解決するために、例えば、特開平６−３８３６号公報記載のように、脚部に逃げを形成することが提案されている。しかしながら、前記公報記載の運搬用容器では、支脚部の載置状態が不安定になり、また、大きな逃げを形成することはできない等のの問題がある。
【０００７】
そこで、この発明は、運搬用容器をスライドさせてスタッキングさせる際に、上段容器の脚部の下端部が下段容器のフランジ内面縁部に当接しても、スムーズに上昇して確実にスタッキングできる運搬用容器を提供するものである。
【０００８】
【課題を解決するための手段】
この発明は上記目的を達成するために次のような構成とした。即ち、この発明の運搬用容器は、平面方形状の底部に側壁を立設し、側壁の上端縁にはフランジを設けると共に、側壁外面の隅部近傍に脚部を突設する一方、フランジ内側には脚部とは点対称の位置に脚部を嵌入する凹部を形成することによって、同一方向に向けて段積みした場合には上段容器の脚部の下面が下段容器のフランジ上面に載ってスタッキングされ、一方の容器を水平に１８０度回転させて段積みした場合には、上段の容器の脚部が下段容器の凹部に嵌入してネスティングすることを可能とした運搬用容器において、前記脚部の底面は、容器底部の下面より上方に位置する水平面であって、側壁外面から連続して形成されており、四方のいずれの方向からもスライドさせながらスタッキングすることが可能なように、四隅部と前記凹部を除いて四方のフランジ内面縁部の全面に、脚部の先端部の衝突を逃がしてスムーズに上昇させながらスタッキングするための面取り部を形成したことを特徴とする。そして、前記面取り部は、テーパ面またはアール面によって形成することができる。
【０００９】
【発明の実施の形態】
この発明を以下に図示する実施形態に基づいて詳細に説明する。運搬用容器１０は、方形状の底部１５の四周に側壁１１，１２，１３，１４を立設し、前記側壁１１，１２，１３，１４の上端縁に外方に突出したフランジ２０を設け、高さ方向の略中間部の外周面にフランジ３０を設けてなる。また、前記側壁１１，１２，１３，１４の外周面にはフランジ２０とフランジ３０とを連結する補強リブ１１ａ，１２ａ，１３ａ，１４ａが設けられている。
【００１０】
さらに、四隅近傍にはスタッキング及びネスティングが可能なように、外周面に脚部２１，２２，２３，２４を突設し、内周面に前記脚部２１，２２，２３，２４が嵌入する凹部３１，３２，３３，３４を設けてなる。前記脚部２１，２２，２３，２４の下面は底部１５の下面よりも上方に位置しており、言い換えれば、底部１５が脚部２１，２２，２３，２４の下面よりも僅かに下方に突出している。
【００１１】
前記脚部２１，２２は、長手方向の側壁１２，１４に対向して設けられており、脚部２１が脚部２３よりも幅が広く形成されている。また、脚部２３は側壁１３に、脚部２４は側壁１１にそれぞれ設けられている。また、側壁１２，１４には、前記脚部２１，２２が嵌合する凹部３１，３２が点対称に設けられており、側壁１３には脚部２４が嵌入する凹部３３が設けられ、側壁１１には脚部２３が嵌入する凹部３４が設けられている。
【００１２】
上記構成において、脚部２１と凹部３１との関係では、脚部２１の方が凹部３１よりも容器の隅部に近接して設けられており、脚部２２と凹部３２との関係では、凹部３２の方が脚部２２よりも容器の隅部に近接して設けられている。また、脚部２３と凹部３３との関係では、脚部２３の方が凹部３３よりも容器の隅部に近接して設けられており、脚部２４と凹部３４との関係では、凹部３４の方が脚部２４よりも容器の隅部に近接して設けられている。
【００１３】
従って、同じ方向に向けて運搬用容器１０同士を段積みした場合には、上段容器の底部１５が下段運搬用容器の開口部に嵌合し、上段容器の脚部２１，２２，２３，２４の下面が下段容器のフランジ２０の上面に載ってスタッキングされる。また、一方の運搬用容器１０を水平に１８０度回転させて逆方向にして積み重ねた場合には、上段容器の脚部２１、２２、２３、２４が下段容器の凹部３２、３１、３４、３３にそれぞれ嵌入することによってネスティングされる。
【００１４】
さらに、図１に示すように、前記側壁１１，１２，１３及び１４の上におけるフランジ２０の内面縁部には、面取り部１１ｂ，１２ｂ，１３ｂ及び１４ｂが設けられており、前記四隅部を除いて内面縁部の角部をカットした状態に形成されている。前記面取り部１１ｂ，１２ｂ，１３ｂ及び１４ｂは、各側壁１１，１２，１３及び１４において、それぞれ脚部２１，２２，２３及び２４に対応する部分も含めて連続して形成されている。前記面取り部１１ｂ，１２ｂ，１３ｂ及び１４ｂの形状は、テーパ面またはアール面とすることができる。
【００１５】
前記面取り部１１ｂ，１２ｂ，１３ｂ及び１４ｂは、隅部におけるアール面よりも大きく形成されており、スライドさせながらスタッキングする際に、脚部２１，２２，２３及び２４の先端部が衝突するのを防止し、緩やかに当接してそのまま上昇してスライドさせるように形成したものである。面取り部１１ｂ，１２ｂ，１３ｂ及び１４ｂの大きさは、脚部の突出量やスタッキングする際の下段運搬用容器の開口部と上段運搬用容器の底部のクリアランス等を考慮して決定すればよい。
【００１６】
尚、面取り部１１ｂ，１２ｂ，１３ｂ及び１４ｂによって、脚部の先端部の衝突を防止して円滑にスライドさせながらスタッキングすることができるとともに、物品の出し入れを容易に行うことができる。物品の出し入れの際にフランジ内面縁部が突出していればそれだけ衝突するおそれがあるから、フランジ内面縁部は直角に縁取られているよりは、大きなテーパ面またはアール面とすることによって当たりを逃がし、出し入れの際の物品の衝突を防止することができる。特に、型くずれや壊れやすい物品を収納、保管する運搬用容器に有効である。従って、面取り部１１ｂ，１２ｂ，１３ｂ及び１４ｂは、上記実施形態のように隅部を除いたフランジ２０の内面縁部の全面に形成することが好ましいが、脚部の先端部が衝突する部分、即ち、脚部に対応するフランジ上面にのみ形成してもよい。
【００１７】
次に、上記構成に係る面取り部１１ｂ，１２ｂ，１３ｂ及び１４ｂの作用について説明する。図４に示すように、運搬用容器１０を同じ方向に向けて脚部２１を載置し、脚部２２側を少し持ち上げた状態でスライドさせると、底部１５の先端部が下段運搬用容器の開口部に嵌合し、脚部２１がフランジ２０の上面に載った状態でスライドする。このような状態でスライドさせていくと、脚部２４の下端先端部が側壁１１におけるフランジ２０内面縁部の面取り部１１ｂに当接する。そのままさらにスライドさせると、面取り部１１ｂに沿って徐々に上昇していき脚部２４の下面がフランジ２０上面に載置される。このようにして、スライドさせるだけでスタッキングが完了する。
【００１８】
スタッキング状態においては、フランジの内面縁部に面取り部を設け、脚部の下面は水平面に形成されているから、確実にスタッキングされ脚部は安定した状態でフランジ上面に載置される。
【００１９】
【発明の効果】
上記説明から明らかなように、この発明に係る運搬用容器によればス、上段容器をライドさせてスタッキングする際に、フランジ内面縁部に脚部が当接しても面取り部に沿って上昇するから、スライドさせながらスムーズにスタッキングすることができる。また、面取り部を隅部を除いてフランジ内面縁部の全体に設けた場合には、物品が衝突することが少なくなり、スムーズに出し入れすることができる。
【図面の簡単な説明】
【図１】この発明の実施形態を示す運搬用容器の斜視図である。
【図２】同じく底面図である。
【図３】要部断面図である。
【図４】スタッキングの方法を示す側面図である。
【符号の説明】
１０  運搬用容器
１１，１２，１３，１４  側壁
１１ａ，１２ａ，１３ａ，１４ａ  補強リブ
１１ｂ，１２ｂ，１３ｂ，１４ｂ  面取り部
１５  底部
２０  フランジ
２１，２２，２３，２４  脚部
３０  フランジ
３１，３２，３３，３４  凹部
【図１】
0004447727.tif 000002
【図２】
0004447727.tif 000003
【図３】
0004447727.tif 000004
【図４】
0004447727.tif 000005